(57)【要約】【課題】管路内に敷設されたケーブルの移動防止と、そのケーブルが敷設された管路の止水とを統合化させ、その構成および施工を合理化および効率化させることができるとともに、長期に亘っての移動防止と止水の効果を共に向上させる。【解決手段】管路１１内に敷設されたケーブル１６がその敷設方向に移動するのを防止するとともに、上記管路を止水する止水機能付ケーブル移動防止装置であって、上記管路と上記ケーブルの間に充填されて管路口を閉塞するケト土等の含水性で半流動状の不定形充填材４０と、上記管路内にて上記不定形充填材を押圧および流動変形させながら体積膨張して上記管路の内壁とケーブルを押圧する袋体２０とにより、上記ケーブルの移動防止と上記管路口の止水を同時に行わせる。【選択図】  図１
2005287228.tif 000002
【特許請求の範囲】
【請求項１】
管路内に敷設されたケーブルがその敷設方向に移動するのを防止するとともに、上記管路を止水する止水機能付ケーブル移動防止装置であって、上記管路と上記ケーブルの間に充填されて管路口を閉塞する含水性で半流動状の不定形充填材と、上記管路内にて上記不定形充填材を押圧および流動変形させながら体積膨張させられて上記管路の内壁とケーブルを押圧する袋体とにより、上記ケーブルの移動防止と上記管路の止水を同時に行わせたことを特徴とする止水機能付ケーブル移動防止装置。
【請求項２】
請求項１において、上記不定形充填材がケト土などの泥状物質であることを特徴とする止水機能付ケーブル移動防止装置。
【請求項３】
請求項１において、上記不定形充填材がゲル状の半流動物質であることを特徴とする止水機能付ケーブル移動防止装置。
【請求項４】
請求項１〜３のいずれかにおいて、上記袋体がゴム等から形成された弾性伸縮袋体であることを特徴とする止水機能付ケーブル移動防止装置。
【請求項５】
請求項１〜４のいずれかにおいて、上記管路内の不定形充填材を、上記管路に装填されたスポンジ等の通水性詰物材からなる閉塞栓と上記袋体との間に閉じ込めるとともに、上記袋体の上記不定形充填材に接する側の部位を、その不定形充填材の圧力を受けて径方向に拡開付勢される形状としたことを特徴とする止水機能付ケーブル移動防止装置。
【請求項６】
請求項１〜５のいずれかにおいて、上記袋体は放射状に分割形成された複数の袋体からなり、この複数の袋体が環状に組み合わせられた状態で上記ケーブルと上記管路内壁の間に介在させられていることを特徴とする止水機能付ケーブル移動防止装置。
【請求項７】
請求項１〜６のいずれかにおいて、上記袋体は、上記管路内に充填された不定形充填材を管路の奥側と開口側から挟み込む位置にそれぞれ装填されていることを特徴とする止水機能付ケーブル移動防止装置。
【請求項８】
請求項１〜７のいずれかにおいて、上記袋体が上記管路の径方向に選択的に大きく膨張する異方性膨張袋体であることを特徴とする止水機能付ケーブル移動防止装置。
【請求項９】
請求項１〜８のいずれかに記載の止水機能付ケーブル移動防止装置を施工する方法であって、上記管路と上記ケーブルの間に、含水性で半流動状の不定形充填材を充填するとともに、流体圧入により体積膨張する袋体を半膨張状態で装填する第１工程と、上記不定形充填材が上記ケーブルと上記袋体の隙間に流れ込むのを待つ第２工程と、上記袋体を完全膨張させる第３工程とを順次行うことを特徴とする止水機能付ケーブル移動防止装置の施工方法。
【発明の詳細な説明】
【技術分野】
【０００１】
この発明は、管路内に敷設されたケーブルの移動防止とその管路口の止水を同時に行う止水機能付ケーブル移動防止装置とその施工方法に関し、とくに電力ケーブルの管路内敷設に適用して有効な技術に関する。
【背景技術】
【０００２】
一般に管路内に敷設されたケーブルは、負荷変動や季節変化に伴う温度変化で生じる熱伸縮（ヒートサイクル）により、不都合な移動を生じることがある。さらに、道路下の管路内に敷設されたケーブルでは、路上を走行する車両の進行方向にケーブルをしごくような進行性の振動駆動力が作用する。この現象は波乗り現象と呼ばれ、ケーブルを車両の進行方向へ徐々に移動させてしまう。このよう移動現象が生じると、ケーブルの先端側では”わらい”と呼ばれる一種のたるみが生じる一方、基端側ではケーブルのオフセット長が不足してしまうという不都合が生じる。
【０００３】
このケーブル移動の防止対策として、従来は、一種のクランプ治具であるクリートが使用されていた。クリートはマンホールに設置され、そのマンホール内すなわち管路外にてケーブルを挟み込んで拘束する。しかし、クリートの１個あたりの移動阻止力には限界がある。移動阻止力を増すためにはクリートを増設すればよいが、その増設による効果はある程度のところ（４，５個）で飽和し、それ以上では増設の効果が得られず、結局、十分な移動阻止力は得られなかった。また、ケーブルをクリートに正しくセットしてクランプさせるためには、ケーブルのオフセット直線長を一定以上取る必要があるが、そのオフセット直線長を取るための場所（直線スペース）の確保が困難であった。必要なオフセット直線長はクリートの連結数に応じて長くなる。さらに、問題なのは、クリートによる締め付け拘束でケーブルの移動を確実に阻止しようとすると、ケーブルの絶縁外皮を傷つける懸念が生じることである。
【０００４】
ケーブルを傷つけずにその移動を阻止する手段としては、特許文献１に開示されているように、空気等の流体で体積膨張する袋体の使用が提案されている。図４は、その袋体を用いたケーブル移動防止装置の概要を示したものであって、（ａ）は側断面図を示す。また、（ｂ）は敷設ケーブルが１条の場合の横断面図、（ｃ）は敷設ケーブルが複数条の場合の横断面図をそれぞれ示す。
【０００５】
同図に示す装置は、管路１１とケーブル１６の間に袋体２０’を装填し、この袋体２０’を加圧空気１７で膨らませることによりケーブル１６を拘束して、その移動を阻止しようとするものである。コンプレッサ１９からチューブ１８を介して袋体２０’内に加圧空気を送り込むと、袋体２０’が管路１１内でケーブル１６を圧迫することにより、そのケーブル１６の移動が阻止される。この袋体２０’を使用したケーブル移動防止装置は、たとえば特許文献２に開示されているパンタグラフ式の可変押さえ機構を使用するものよりも、機構的な単純で扱いやすく、ケーブルの絶縁外皮を傷つけにくいという利点がある。また、ケーブルの拘束が管路内で行われることにより、オフセット直線長を長く取る必要がないという利点もある。
【特許文献１】特開平２−３６７２１号公報
【特許文献２】特開平１−２５５４２３号公報
【特許文献３】特開２００１−２２４１２６号公報
【特許文献４】特開２００２−１１８９４５号公報
【発明の開示】
【発明が解決しようとする課題】
【０００６】
ケーブルが敷設された管路は、管路からマンホールへの浸水を防止するため、あるいはその逆方向への浸水を防止するため、その管路口を閉塞して止水する必要がある。上述した従来技術はケーブルの移動防止だけを目的としたものであるため、管路の止水とケーブル移動防止は別個に行われていた。
【０００７】
上記止水を行う手段としては、たとえば特許文献３に開示されているように、可塑性充填材（粘土状シーリング材）を用いて管路口を閉塞する方法が知られている。可塑性充填材は、その可塑性充填材を管路内に留め置くための遮蔽部材（あるいは拘束部材）と共に使用される。この場合、ケーブルが敷設された管路の空間断面は単純な円形ではなく複雑な異径形状となる。したがって、上記遮蔽部材はその異径形状の空間断面を粗閉塞できるように形成する必要がある。しかし、このような遮蔽部材の使用は止水施工を複雑かつ面倒にする。
【０００８】
そこで、たとえば特許文献４の中で開示されているように、石膏やセメントなどを用いた硬化性充填材を管路に充填して固化させることにより、管路口を閉塞して止水することも行われている。この方法は単純ではあるが、ケーブルの全部あるいは一部に撤去や引き替えの必要が生じたときに、固化した充填材を撤去するためのハツリ工事が大掛かりで面倒になるという問題があった。また、硬化性充填材は、ケーブルのヒートサイクル（温度による膨張と収縮の繰り返し）や地上の震動などにより、ケーブルとの間に間隙が生じ、この間隙によって当初の止水能力が失われてしまう。つまり、長期に亘って止水能力を維持することができないという問題があった。
【０００９】
上述したように、ケーブルの移動防止と管路の止水は、その対象個所に共通性はあるものの、それぞれに独立した構成および施工により行われていた。施工の手順としては、まず、ケーブル移動防止について行い、この施工が完了した後、管路の止水を行っていた。しかし、本発明者らの検討によれば、両者を別個に行う従来方法は必ずしも効率的ではなく、改善の余地の大きいことが判明した。
【００１０】
すなわち、本発明の目的は、管路内に敷設されたケーブルの移動防止と、そのケーブルが敷設された管路の止水とを統合化させて、その構成および施工を合理化および効率化させるとともに、長期に亘って移動防止と止水の効果を共に向上させることにある。
【課題を解決するための手段】
【００１１】
本発明の第１の手段は、次の（１）のとおりである。  
（１）管路内に敷設されたケーブルがその敷設方向に移動するのを防止するとともに、上記管路を止水する止水機能付ケーブル移動防止装置であって、上記管路と上記ケーブルの間に充填されて管路口を閉塞する充填材と、上記管路内にて上記不定形充填材を押圧および流動変形させながら体積膨張して上記管路の内壁とケーブルを押圧する袋体とにより、上記ケーブルの移動防止と上記管路の止水を同時に行わせたことを特徴とする止水機能付ケーブル移動防止装置。
【００１２】
上記手段（１）においては、以下の各手段が（２）〜（８）が実施形態としてとくに好適あるいは望ましい。
【００１３】
（２）（１）において、上記不定形充填材がケト土などの泥状物質であることを特徴とする止水機能付ケーブル移動防止装置。
【００１４】
（３）（１）において、上記不定形充填材がゲル状の半流動物質であることを特徴とする止水機能付ケーブル移動防止装置。なお、不定形充填材は、水分を含む前（施工時）には乾燥した粉末状であって、水分を含むことにより泥状またはゲル状の半流動物質となるものであってもよい。
【００１５】
（４）（１）〜（３）のいずれかにおいて、上記袋体がゴム等から形成された弾性伸縮袋体であることを特徴とする止水機能付ケーブル移動防止装置。
【００１６】
（５）（１）〜（４）のいずれかにおいて、上記管路内の不定形充填材を、上記管路に装填されたスポンジ等の通水性詰物材からなる閉塞栓と上記袋体との間に閉じ込めるとともに、上記袋体の上記不定形充填材に接する側の部位を、その不定形充填材の圧力を受けて径方向に拡開付勢される形状としたことを特徴とする止水機能付ケーブル移動防止装置。
【００１７】
（６）（１）〜（５）のいずれかにおいて、上記袋体は放射状に分割形成された複数の袋体からなり、この複数の袋体が環状に組み合わせられた状態で上記ケーブルと上記管路内壁の間に介在させられていることを特徴とする止水機能付ケーブル移動防止装置。
【００１８】
（７）（１）〜（６）のいずれかにおいて、上記袋体は、上記管路内に充填された不定形充填材を管路の奥側と開口側から挟み込む位置にそれぞれ装填されていることを特徴とする止水機能付ケーブル移動防止装置。
【００１９】
（８）（１）〜（７）のいずれかにおいて、上記袋体が上記管路の径方向に選択的に大きく膨張する異方性膨張袋体であることを特徴とする止水機能付ケーブル移動防止装置。
【００２０】
また、本発明は、上記（１）〜（８）のいずれかに記載の止水機能付ケーブル移動防止装置を施工する方法として、次の（９）の手段を提供する。  
（９）上記管路と上記ケーブルの間に、含水性で半流動状の不定形充填材を充填するとともに、流体圧入により体積膨張する袋体を半膨張状態で装填する第１工程と、上記不定形充填材が上記ケーブルと上記袋体の隙間に流れ込むのを待つ第２工程と、上記袋体を完全膨張させる第３工程とを順次行うことを特徴とする止水機能付ケーブル移動防止装置の施工方法。
【発明の効果】
【００２１】
管路内に敷設されたケーブルの移動防止と、そのケーブルが敷設された管路の止水とを統合化させて、その構成および施工を合理化および効率化させることができるとともに、長期に亘って移動防止と止水の効果を共に向上させることができる。
【発明を実施するための最良の形態】
【００２２】
図１は、本発明による止水機能付ケーブル移動防止装置の第１実施形態を示す。同図において、（ａ）は管路１１の軸方向に沿った断面図、（ｂ）は管路１１の横断面図をそれぞれ示す。
【００２３】
同図に示す装置は、管路１１とケーブル１６の間に充填されて管路口を閉塞する含水性で半流動状の不定形充填材４０と、上記管路１１内にて上記不定形充填材４０を押圧および流動変形させながら体積膨張させられて上記管路１１の内壁とケーブルを押圧する袋体２０とにより、上記ケーブル１６がその敷設方向に移動するのを防止するとともに、上記管路１１を止水する。
【００２４】
上記不定形充填材４０としては、たとえばケト土などの泥状物質、またはゲル状の半流動物質が使用される。なお、不定形充填材４０は、水分を含む前（施工時）には乾燥した粉末状であって、水分を含むことにより泥状またはゲル状の半流動物質となるものであってもよい。
【００２５】
上記袋体２０はゴム等から形成された弾性伸縮袋体であって、送気チューブ１８とポンプ１９により外部から圧入される空気等の流体により径方向に体積膨張させられる。この場合、その袋体２０は、とくに管路１１の径方向に選択的に大きく膨張するように構成された異方性膨張袋体が使用されている。この異方性膨張袋体は、袋体の材質や厚さ等を袋の部位によって異ならせることにより構成することができる。
【００２６】
上記構成により、管路１１内に敷設されたケーブル１６の移動防止と、そのケーブル１６が敷設された管路１１の止水を統合化させて、その構成および施工を合理化および効率化させることができるとともに、長期に亘って移動防止と止水の効果を共に向上させることができる。
【００２７】
さらに、この実施形態では、（ａ）に示すように、上記管路１１内の不定形充填材４０を、その管路１１にあらかじめ装填されたスポンジ等の通水性詰物材からなる閉塞栓４１と上記袋体２０との間に閉じ込めるとともに、上記袋体２０の上記不定形充填材４０に接する側の部位に湾状の凹部２１を形成している。この湾状凹部２１は不定形充填材４０の圧力を受けて径方向に拡開付勢される。これにより、袋体２０を管路１１内壁面とケーブル１６の両方に強く圧接させる効果が得られる。
【００２８】
この圧接効果により、袋体２０と管路１１内壁間および袋体２０とケーブル１６間にそれぞれ作用する移動係止力をさらに大きくすることができる。これとともに、袋体２０と管路１１内壁間および袋体２０とケーブル１６間におけるそれぞれの密着性も高めることができる。この結果、移動防止と止水の効果をさらに強化させることができる。
【００２９】
上記袋体２０は、（ｂ）に示すように、放射状に分割形成されている。この分割形成された複数の袋体２０，２０，２０が環状に組み合わせられた状態で、上記ケーブル１６と上記管路１１内壁の間に介在させられている。袋体２０，２０，２０間は面状に密着状態で接触するとともに、その接触部位に形成された凸部２２と凹部２３の嵌め合いにより、ケーブル１６を管路１１内の中央に安定に位置決めしながら環状に組み合わせられるようになっている。
【００３０】
次に、上記止水機能付ケーブル移動防止装置の施工方法についての実施形態を説明する。上記装置は第１〜３の各工程を順次行って施工される。
【００３１】
第１工程では、まず、スポンジ等の通水性詰物材からなる閉塞栓４１を管路１１の奥に押し込む。次に、含水性で半流動状の不定形充填材４０を充填する。このあと、管路１１内壁とケーブル１６の間に、流体である空気１７の圧入により体積膨張する袋体２０を半膨張状態で装填する。
【００３２】
上記不定形充填材４０としては、たとえばケト土が好適である。ケト土は、湿地帯等で植物が腐植した堆積土であって、黒色の粘土質で繊維状の物が混じっている。このケト土は、低コストで無公害の自然産出品であるとともに、保水性にすぐれ、粘りがあることなどにより、本発明での使用にはとくに適している。
【００３３】
上記袋体２０は、管路１１外のコンプレッサ１９から送気チューブ１８を介して圧入される空気（流体）１７により体積膨張させられるが、この第１工程段階では、目いっぱいには膨らませず、まだ膨張余地を残した半膨張状態にして置く。この後、第２工程を行う。
【００３４】
第２工程では、上記不定形充填材４０が上記ケーブル１６と上記袋体２０の隙間に流れ込むのを待つ。ケト土のような含水性で半流動状の不定形充填材４０がケーブル１６と袋体２０の隙間に流れ込むに伴い、管路１１からマンホール内に水が流れ出てくるが、これにより、上記隙間に充填材４０が流れ込んだかどうかを確認することができる。これが確認できたら、第３工程を行う。
【００３５】
第３工程では、上記袋体２０を完全（目いっぱい）に体積膨張させる。これにより、袋体２０はケーブル１６を押圧してそのケーブル１６の移動を阻止するようになる。このとき、その袋体２０は上記不定形充填材４０を押圧および流動変形させながら体積膨張させられる。これにより、ケーブル１６と袋体２０の隙間に流れ込んだ不定形充填材４０は、その隙間を密に埋めた状態で管路口を閉塞するようになる。つまり、管路口が止水シールされる。袋体２０と管路１１内壁間についても、同様に、密に閉塞されて止水シールされる。
【００３６】
上記工程により、ケーブル１６の移動防止と管路口の止水を同時に完成させることができる。つまり、袋体２０と充填材４０とが一体となってケーブル移動防止と止水の機能を形成する。これにより、管路１１内に敷設されたケーブル１６の移動防止と、そのケーブル１６が敷設された管路１１の止水を統合化させて、その構成および施工を合理化および効率化させることができる。
【００３７】
また、ケト土のような含水性で半流動状の不定形充填材４０は、ケーブルのヒートサイクルや地上の震動などによる間隙を生じさせず、長期に亘って安定した止水能力を形成することができる。
【００３８】
上記ケーブル１６の全部あるいは一部の撤去や引き替えの必要が生じたときには、上記袋体２０を収縮させて充填材４０を除去すればよい。このとき、ケト土のような含水性で半流動状の不定形充填材４０は、石膏やセメントを用いた硬化性充填材に比べると、非常に容易に除去することができる。
【００３９】
図２は本発明による止水機能付ケーブル移動防止装置の第２実施形態を示す。図１に示した第１実施形態では敷設ケーブルが１条であったが、分割形成された袋体２０，２０，２０の断面形状を同図に示すような構成とすることにより、敷設ケーブルが複数条（３条）であっても、各ケーブル１６，１６，１６を安定に保持して移動防止させることができるとともに、管路１１を長期に亘って安定かつ確実に止水することができる。なお、図２に示す例では、ケーブル１６の間に介在物２５を設けることにより、袋体２０の密着度をより高められるようにしている。なお、介在物２５は、袋体２０どうしの密着度を確保できる程度の剛性を有するものであれば、特に材質は問わない。
【００４０】
図３は本発明による止水機能付ケーブル移動防止装置の第３実施形態を示す。この実施形態では、上記管路１１内に充填された不定形充填材４０を管路１１の奥側と開口側から挟み込む位置に、上記袋体２０，２０がそれぞれ装填されている。この実施形態により、ケーブルの移動防止と管路止水の効果をさらに強化させることができる。この第３実施形態の止水機能付ケーブル移動防止装置は、次のようにして施工される。
【００４１】
まず、第１工程では、ケーブル１６が敷設された管路１１内に第１の袋体２０を半膨張状態で挿入した後、含水性で半流動状の不定形充填材（ケト土）４０を充填する。次に、第２の袋体２０を半膨張状態で上記管路１１内に挿入する。  
第２工程では、上記不定形充填材４０が上記ケーブル１６と上記袋体２０の隙間に流れ込むのを待つ。  
そして、第３工程では、上記袋体２０を完全膨張させる。  
上記工程により、上記不定形充填材４０を管路１１の奥側と開口側から挟み込んで閉じ込めることができるが、この状態は充填材４０を安定に閉じ込めるのにとくに有効であって、上述したように、ケーブル移動防止と止水の両機能をさらに良好に形成することができる。
【００４２】
以上、本発明をその代表的な実施例に基づいて説明したが、本発明は上述した以外にも種々の態様が可能である。たとえば、袋体２０を膨張させる流体１７は、窒素や炭酸ガスなどの不活性ガスあるいは液体であってもよい。含水性で半流動状の不定形充填材４０は、ケト土以外の含水性で半流動状の不定形充填材、たとえばゲル状の半流動物質も好適に使用することができる。また、本発明は、電力ケーブルの移動防止に適用してとくに有効であるが、通信ケーブルの移動防止にも適用できる。
【産業上の利用可能性】
【００４３】
管路内に敷設されたケーブルの移動防止と、そのケーブルが敷設された管路の止水とを統合化させて、その構成および施工を合理化および効率化させることができるとともに、長期に亘って移動防止と止水の効果を共に向上させることができる。
【図面の簡単な説明】
【００４４】
【図１】本発明による止水機能付ケーブル移動防止装置の第１実施形態の要部を示す断面図である。
【図２】本発明による止水機能付ケーブル移動防止装置の第２実施形態の要部を示す断面図である。
【図３】本発明による止水機能付ケーブル移動防止装置の第３実施形態の要部を示す断面図である。
【図４】従来のケーブル移動防止装置の概要を示す断面図である。
【符号の説明】
【００４５】
１１  管路
１６  ケーブル
１７  空気（流体）
１８  送気チューブ
１９  コンプレッサ
２０  袋体
２１  湾状凹部
２２  凸部
２３  凹部
４０  充填材
４１  閉塞栓
【図１】
2005287228.tif 000003
【図２】
2005287228.tif 000004
【図３】
2005287228.tif 000005
【図４】
2005287228.tif 000006